(57)【特許請求の範囲】
【請求項１】
配線・配管材を布設するための布設路を形成する受け具であって、配線・配管材を支持するため長さ方向に適宜間隔をおいて配置された支持材と、前記支持材どうしを連結する長さ方向に配設された屈曲自在な線材からなる連結材とによって組み立てられ、前記連結材の少なくとも一つに曲げ形成された余長部を設けて成ることを特徴とする配線・配管材布設用の受け具。
【請求項２】
前記余長部は、受け具の周壁面に沿って曲げ形成されたことを特徴とする請求項１に記載の配線・配管材布設用の受け具。
【発明の詳細な説明】
【０００１】
【産業上の利用分野】
本発明は、通信ケーブルや電力ケーブル等の配線材や、電線管、あるいは熱交換用の温水管、給排水湯管、ガス管及びこれらを保護する保護管等の配管材を、布設するための布設路を形成する配線・配管材布設用の受け具に関する。
【０００２】
【従来の技術】
従来、電力ケーブル等の配線工事には、通路の天井面等に沿って配線・配管材を布設するために受け具が使用されている。このような受け具には、鋼板を棚受け状に曲げ加工したラックタイプのものや、図１７に示すように、長短の鋼材からなる長さ方向を構成する親桁２０１と幅方向を構成する子桁２０２とを組み付けたラダータイプのものがあり、天井から垂設された吊ボルト等によって支持され、長さ方向につなげた状態に設置されて、ケーブルＸ１を布設する布設路を形成するようになっている。
【０００３】
しかしながら、このような従来の受け具２００は、布設経路に合わせて自由に曲げることができず、現場の布設経路に対応させるには、曲がり専用の受け具２１０や立ち上げ専用の受け具２２０等の各種形態の受け具を個別に作製し、準備する必要があった。
【０００４】
【発明が解決しようとする課題】
本発明は、このような事情に鑑みなされたものであり、その目的とするところは、各種形態の受け具を予め作製、準備する手間を省いて、現場の設置場所の形態に応じて現場で自由に曲げて設置することができる配線・配管材布設用の受け具を提供することにある。
【０００６】
請求項１に記載の発明は、「配線・配管材を布設するための布設路を形成する受け具であって、配線・配管材を支持するため長さ方向に適宜間隔をおいて配置された支持材と、前記支持材どうしを連結する長さ方向に配設された屈曲自在な線材からなる連結材とによって組み立てられ、前記連結材の少なくとも一つに曲げ形成された余長部を設けて成ることを特徴とする配線・配管材布設用の受け具」を、その内容としている。
そして、請求項２に記載の発明は、請求項１に記載の余長部が、受け具の周壁面に沿って曲げ形成された配線・配管材布設用の受け具を、その内容としている。
【０００７】
【作用】
上記請求項１又は請求項２に記載の発明に係る受け具にあっては、長さ方向に配設される線材からなる連結材に設けられた余長部を伸ばしたり、縮めたりすることによって曲げたときに内外の線材間に生じるズレを調整し、これによって、曲がった形態の受け具を容易に形成できるようになっている。又、余長部の伸ばし具合、縮め具合によって受け具全体の曲げ具合をさまざまな径に対応できるように調整することができるようになっている。したがって、このような受け具を使用すれば、各種形態の受け具を予め作製、準備する手間を省いて、現場の設置場所の形態に応じた設置が可能となる。
【０００８】
【実施例】
以下、本発明についての実施例を図面に基づいて説明する。
図１には本発明に係る受け具の一実施例が示されており、この受け具１００は、Ｕ字形に曲げ形成された線材からなる支持材１１１と、長さ方向に配設された屈曲自在な線材からなる連結材１１２とによって組み立てられている。そして、長さ方向に配設された連結材１１２のうち、上部に配設された２本の連結材１１２については下方に湾曲した余長部１１３が支持材１１１間に１個ずつ形成されている。したがって、この受け具１００にあっては、図２に示すように、余長部１１３を縮めることによって内向きに曲げることができ、図３に示すように、余長部１１３を伸ばすことによって外向きに曲げることができるようになっている。
【０００９】
図４には本発明に係る受け具の別の実施例が示されており、この受け具１００は、Ｕ字形に曲げ形成された線材からなる支持材１１１と、長さ方向に配設された屈曲自在な線材からなる連結材１１２とによって組み立てられており、長さ方向に配設された連結材１１２のうち、片側上部と片側下部に配置された２本の連結材１１２について、下方及び横方向に湾曲した余長部１１３が支持材１１１間に１個ずつ形成されている。したがって、この受け具１００の場合には、余長部１１３を縮めたり、伸ばしたりすることにより、図５あるいは図６に示すように左右に曲げることができるようになっている。
【００１０】
図７には本発明に係る受け具のさらに別の実施例が示されており、この受け具１００は、同じくＵ字形に曲げ形成された線材からなる支持材１１１と、長さ方向に配設された屈曲自在な線材からなる連結材１１２とによって組み立てられており、長さ方向に配設された連結材１１２のうち、上部に配置された２本の連結材１１２は下方に湾曲した余長部１１３が支持材１１１間に１個ずつ形成され、下部に配置された２本の連結材１１２は横方向に湾曲した余長部１１３が支持材１１１間に１個ずつ形成されている。したがって、この受け具１００の場合には、余長部１１３を縮めたり、伸ばしたりすることにより、図８あるいは図９に示すように左右に曲げることができると共に、図１０あるいは図１１に示すように内向き、外向きに曲げることができるようになっている。このように、長さ方向に配設された連結材１１２すべてに余長部１１３を設けた場合には、一つの受け具１００で、左右又は内向き、外向きの二次元方向に曲げることができるだけでなく、左右と内向き、外向きを組み合わせた三次元方向にも自在に曲げることができ、種々屈曲した形態に受け具１００を形成することができる。
【００１１】
上記受け具１００を構成する線材のうち、連結材１１２を構成する線材には、手又はペンチ等の工具によって容易に曲げることができる鋼線又は鉄線が使用され、受け具に要求される強度や、組み立てるときの線材の配置の仕方によって異なるが、線径が２〜９ｍｍ程度のものが適当で、手で曲げる場合を考慮すると、５〜６ｍｍ程度のものが好ましい。なお、余長部１１３を設けた連結材１１２を構成する線材ついては、余長部１１３のみ屈曲自在としても良い。又、支持材１１１を構成する線材には、上記と同様に鋼線又は鉄線が使用されるが、配線・配管材を支持することができる強度を備えたものであれば良く、屈曲性は必要でない。なお、支持材１１１は線材に限らず、適宜間隔をおいて配置される板状部材によって構成しても良い。又、支持材１１１の底面部を板材とし、側面を線材にして構成しても良い。これら支持材１１１や連結材１１２には防錆性をもたせるために樹脂による被覆又は塗装等を施しても良い。
【００１２】
又、線材に設けられる余長部１１３は、受け具１００の曲げによって生じる内外線材間の弧線の長さの差を調整できる長さを有したものであり、縮めたり伸ばしたりの作業が容易に行えるように、実施例に示すように、Ｕ字形に湾曲した形状に形成されたものが好ましい。又、その突出方向を受け具１００の形態に合わせてその周壁面に沿った方向に形成すれば、受け具１００の側壁面又は底壁面の一部を構成し、布設される配線・配管材の支持部として作用させることができる。なお、余長部１１３は、支持材１１１間に１個ずつ形成されていても、複数個形成されていても、あるいは、一つ置きの支持材１１１間に形成されていても、その設けられる個数は問わない。
【００１３】
このような線材によって組み立てられる受け具については、同じ線径の線材で組み立てても良いし、異なる線径の線材を組み合わせて組み立てても良い。なお、線材の組み立て方によって、例えば、図７に示す受け具１００について、線材Ｂ１〜Ｂ８のように一つの線材を曲げ形成して上下の連結材１１２の一部を省略して組み立てることもできるが、受け具１００として十分な強度をもたせるためには、上下共に連結材１１２が配設された形態とすることが好ましい。
【００１４】
又、受け具１００は、単一の構成品により作製されたものであっても、複数の構成部品の組み合わせにより作製されたものでも良い。図１２には本発明に係る受け具のさらに別の実施例が示されている。この受け具１００は、Ｌ型状の構成部品Ａ１、Ａ２を、図１３に示すように連結具２０にて連結することにより組み合わされている。各構成部品Ａ１、Ａ２はＬ字形に曲げ形成された線材からなる支持材１１１と、長さ方向に配設された屈曲自在な線材からなる連結材１１２とによって組み立てられており、構成部品Ａ１、Ａ２のそれぞれについて、長さ方向に配設された連結材１１２のうち、上部に配置された連結材１１２は下方に湾曲した余長部１１３が支持材１１１間に２個ずつ形成され、下部に配置された２本の連結材１１２のうち外側に配置された連結材１１２について横方向に湾曲した余長部１１３が支持材１１１間に２個ずつ形成されている。
【００１５】
したがって、この受け具１００の場合には、連結具２０によって連結された連結材１１２の曲げに対応させて余長部１１３を縮めたり伸ばしたりすることにより、内向き、外向き、さらには左右に曲げることができるようになっている。なお、連結具２０は、螺孔の形成された上下挟持部材２１と、前記螺孔内に螺合するボルト２２とによって構成され、連結材１１２を挟持部材２１間に固定できるようになっている。このような複数の構成部品の組み合わせからなる受け具の場合には、運搬上、コンパクトにできて便利である。
【００１６】
上記実施例に示される受け具１００を現場においてそのままあるいは曲げて設置することにより、現場の布設経路に対応させて受け具１００を配置することができる。そして、例えば、特開平５−１５０２２号公報に示されるような可撓性を有する配線・配管材布設用シュータと組み合わせて、効率よく配線・配管材を布設することができる。配線・配管材布設用シュータは、軸方向に連続するスリットを有した中空状に形成されたもので、ポリエチレン、塩化ビニル樹脂等の可撓性材料により作製されたものであり、内部通路に、硬質の先端部と自身で押し込むことができる剛性及びシュータの曲がりに対応できる可撓性を備えたロープとからなる引込具を挿通させることができるようになっており、引込具に配線・配管材あるいはこれを引き込むための呼びロープを接続して、シュータ内を往復動させて配線・配管材を布設することができるようになっている。
【００１７】
図１４には本発明に係る受け具のさらに別の実施例が示されている。この受け具１００はＣ字形に曲げ形成された線材からなる支持材１１１と、長さ方向に配設された屈曲自在な線材からなる連結材１１２とによって組み立てられており、長さ方向に配設された連結材１１２のうち、片側上部と片側下部に配置された２本の連結材１１２（Ｃ１、Ｃ２）について、下方及び横方向に湾曲した余長部１１３が支持材１１１間に２個ずつ形成されている。したがって、この受け具１００の場合には、余長部１１３を縮めたり伸ばしたりすることにより、左右に曲げることができるようになっている。なお、連結材１１２であるＣ３、Ｃ４に余長部１１３を設けた受け具１００の構成により、同様に左右に曲げることができ、又、Ｃ１及びＣ３又はＣ２及びＣ４に余長部１１３を設けた受け具１００の構成により上下に曲げることができ、さらに、Ｃ１〜Ｃ４すべてに余長部１１３を設けた受け具１００の構成により上下左右に曲げることができる。
【００１８】
この受け具１００において、支持材１１１の開口に配置される連結材１１２ａ、１１２ｂは、図１５及び図１６に示すように、配線・配管材Ｘを布設するための走行車３０を走らせるためのレールを構成している。走行車３０は同一の軸部材３０１にそれぞれベアリング３０２を介して枢着された２個のローラ３０３を備え、各ローラ３０３の溝にレールを構成する連結材１１２ａ、１１２ｂが嵌まり、各々のローラ３０３が逆回転しながら連結材１１２ａ、１１２ｂ間を走行するようになっている。図１６に示すように、軸部材３０１の一端には走行車３０を引き込むためのロープ４０が接続し、他端には配線・配管材Ｘと連結する連結ロープＲをつないで、ロープ４０を引っ張ることによって配線・配管材Ｘを受け具１００内に引き込むことができるようになっている。なお、走行車３０は、棒材で押して操作されるものや、ローラ３０３を駆動させる駆動手段を備えて自力で走行できるものを使用することもできる。又、懸吊車３０は配線・配管材Ｘを直接引き込む場合に限らず、配線・配管材を引き込むための呼びロープを接続して受け具内に掛け渡すのに使用してもよい。
【００１９】
【発明の効果】
以上説明したように、本発明によれば、余長部を設けた線材を用いて組み立てられる受け具の構成により、現場の設置場所の形態に応じて現場で自由に曲げて設置することができて、各種形態の受け具を予め作製、準備する手間を省くことができる、という効果を有する。
【図面の簡単な説明】
【図１】  本発明に係る配線・配管材布設用の受け具の一実施例を示す斜視図である。
【図２】  図１に示す実施例の内向きに曲げた状態における概略斜視図である。
【図３】  図１に示す実施例の外向きに曲げた状態における概略斜視図である。
【図４】  本発明に係る配線・配管材布設用の受け具の別の実施例を示す概略斜視図である。
【図５】  図４に示す実施例の余長部を縮めて横方向に曲げた状態における概略斜視図である。
【図６】  図４に示す実施例の余長部を伸ばして横方向に曲げた状態における概略斜視図である。
【図７】  本発明に係る配線・配管材布設用の受け具のさらに別の実施例を示す概略斜視図である。
【図８】  図７に示す実施例の横方向に曲げた状態における概略斜視図である。
【図９】  図７に示す実施例の横方向反対側に曲げた状態における概略斜視図である。
【図１０】  図７に示す実施例の内向きに曲げた状態における概略斜視図である。
【図１１】  図７に示す実施例の外向きに曲げた状態における概略斜視図である。
【図１２】  本発明に係る配線・配管材布設用の受け具のさらに別の実施例を示す斜視図である。
【図１３】  図１２に示す実施例に使用される連結具を示す正面図である。
【図１４】  本発明に係る配線・配管材布設用の受け具のさらに別の実施例を示す斜視図である。
【図１５】  図１４に示す実施例に使用される走行車を示す断面図である。
【図１６】  同じく走行車の使用状態を示す側面図である。
【図１７】  従来の受け具を示す斜視図である。
【符号の説明】
１００  受け具
１１３  余長部
【図１】
0003687042.tif 000002
【図２】
0003687042.tif 000003
【図３】
0003687042.tif 000004
【図４】
0003687042.tif 000005
【図５】
0003687042.tif 000006
【図６】
0003687042.tif 000007
【図７】
0003687042.tif 000008
【図８】
0003687042.tif 000009
【図９】
0003687042.tif 000010
【図１０】
0003687042.tif 000011
【図１１】
0003687042.tif 000012
【図１２】
0003687042.tif 000013
【図１３】
0003687042.tif 000014
【図１４】
0003687042.tif 000015
【図１５】
0003687042.tif 000016
【図１６】
0003687042.tif 000017
【図１７】
0003687042.tif 000018